(57)【要約】【課題】電極交換が容易で、スパン変化が生ずる恐れもなく、メンテナンス性が向上された電磁流量計を提供する。【解決手段】電極が設けられた電磁流量計において、測定管の周面に設けられ一方端が前記測定管の外周面に開口する開口口を有する接液孔と、この開口口を一方の面の一部分が覆って設けられ前記開口口に対向する一方の面の一部分がずれることにより電極交替出来る電極板と、前記測定管と前記電極板との間に設けられ前記接液孔からの測定流体の外部への流出をシールするシール手段と、前記シール手段のシール面圧を保持する加圧手段とを具備したことを特徴とする電磁流量計である。【選択図】　　　　図１
2004003907.tif 000002
【特許請求の範囲】
【請求項１】
電極が設けられた電磁流量計において、
測定管の周面に設けられ一方端が前記測定管の外周面に開口する開口口を有する接液孔と、
この開口口を一方の面の一部分が覆って設けられ前記開口口に対向する一方の面の一部分がずれることにより電極交替出来る電極板と、
前記測定管と前記電極板との間に設けられ前記接液孔からの測定流体の外部への流出をシールするシール手段と、
前記シール手段のシール面圧を保持する加圧手段と
を具備したことを特徴とする電磁流量計。
【請求項２】
前記電極板として、円形形状をなし中心より偏心した位置にて前記開口口を一方の面の一部分が覆って配置されたこと
を特徴とする請求項１記載の電磁流量計。
【請求項３】
前記測定管に固定され前記電極板の回転により前記開口口に対向する一方の面の一部分が交替するように前記電極板を支持する回転軸
を具備したことを特徴とする請求項１又は請求項２記載の電磁流量計。
【請求項４】
前記電極板として、プラスチック材よりなる電極板本体と、
この電極板本体の前記一方の面の前記開口口に対向交替する部分のみに導伝材よりなる電極本体が設けられたこと
を特徴とする請求項１乃至請求項３の何れかに記載の電磁流量計。
【請求項５】
前記シール手段として、Ｏリングが使用されたこと
を特徴とする請求項１乃至請求項４の何れかに記載の電磁流量計。
【請求項６】
前記加圧手段として、コイルスプリングが使用されたこと
を特徴とする請求項１乃至請求項５の何れかに記載の電磁流量計。
【発明の詳細な説明】
【０００１】
【発明の属する技術分野】
本発明は、電極交換が容易で、スパン変化が生ずる恐れもなく、メンテナンス性が向上された電磁流量計に関するものである。
【０００２】
【従来の技術】
図３は、従来より一般に使用されている従来例の構成説明図である。
図において、１は測定管、２は測定管１に設けられたライニング体である。
３はライニング体２に設けられた接液電極である
４は接液電極３の上部を覆う絶縁材のスペーサである。
【０００３】
５は電極キャップで、測定管１と接液電極室６を構成する。
７は接液電極室６内の電極キャップ５とスペーサ４との問に設けられ、接液電極３をライニング体２に押圧するスプリングである。。
【０００４】
以上の構成において、接液電極３はスプリング７により、ライニング体２に押圧固定され、接液電極３の測定流体ＦＬに対するシールが保たれる。
【０００５】
【発明が解決しようとする課題】
しかしながら、このような装置においては、以下の間題点がある。
電極３の接液面が固定されているので、流体条件によっては電極表面３に絶縁物が付着し、測定が困難となる。
【０００６】
その際に、電極３の表面を洗浄、若しくは、電極３の交換を行う。
そして、このような装置においては、電極３の交換が困難である。若しくは、電極３の交換作業が煩雑である。
また、電極３の交換前後で電極間距離が変化し、スパン変化が生じることがある。
【０００７】
本発明の目的は、上記の課題を解決するもので、電極交換が容易で、スパン変化が生ずる恐れもなく、メンテナンス性が向上された電磁流量計を提供することにある。
【０００８】
【課題を解決するための手段】
このような目的を達成するために、本発明では、請求項１記載の電磁流量計においては、
電極が設けられた電磁流量計において、
測定管の周面に設けられ一方端が前記測定管の外周面に開口する開口口を有する接液孔と、この開口口を一方の面の一部分が覆って設けられ前記開口口に対向する一方の面の一部分がずれることにより電極交替出来る電極板と、前記測定管と前記電極板との間に設けられ前記接液孔からの測定流体の外部への流出をシールするシール手段と、前記シール手段のシール面圧を保持する加圧手段とを具備したことを特徴とする電磁流量計を具備したことを待徴とする。
【０００９】
本発明の請求項２においては、請求項１記載の電磁流量計において、
前記電極板として、円形形状をなし中心より偏心した位置にて前記開口口を一方の面の一部分が覆って配置されたことを特徴とする。
【００１０】
本発明の請求項３においては、請求項１又は請求項２記載の電磁流量計において、
前記測定管に固定され前記電極板の回転により前記開口口に対向する一方の面の一部分が交替するように前記電極板を支持する回転軸を具備したことを特徴とする。
【００１１】
本発明の請求項４においては、請求項１乃至請求項３の何れかに記載の電磁流量計において、
前記電極板として、プラスチック材よりなる電極板本体と、この電極板本体の前記一方の面の前記開口口に対向交替する部分のみに導伝材よりなる電極本体が設けられたことを特徴とする。
【００１２】
本発明の請求項５においては、請求項１乃至請求項４の何れかに記載の電磁流量計において、
前記シール手段として、Ｏリングが使用されたことを特徴とする。
【００１３】
本発明の請求項６においては、請求項１乃至請求項５の何れかに記載の電磁流量計において、
前記加圧手段として、コイルスプリングが使用されたことを特徴とする。
【００１４】
【発明の実施の形態】
以下図面を用いて本発明を詳しく説明する。
図１は本発明の一実施例の要部構成説明図、図２は図１の要部詳細説明図、図３は図２の底面図である。
図において、図６と同一記号の構成は同一機能を表す。
以下、図６と相違部分のみ説明する。
【００１５】
１１は、測定管１の周面に設けられ、一方端が前記測定管の外周面に開口する開口口１１１を有する接液孔である。
１２は、この開口口１１１を、一方の面の一部分が覆って設けられ、開口口１１１に対向する一方の面の一部分がずれることにより電極交替出来る電極板である。
【００１６】
この場合は、電極板１２として、円形形状をなし中心より偏心した位置にて、開口口１１１を一方の面の一部分が覆って配置されている。
また、この場合は、図２，図３に示す如く、電極板１２として、プラスチック材よりなる電極板本体１２１と、この電極板本体１２１の、一方の面の開口口１１１に対向交替する部分のみに、導伝材よりなりリング状の電極本体１２２が設けられている。
【００１７】
１３は、測定管１と電極板１２との間に設けられ、接液孔１１からの測定流体ＦＬの外部への流出をシールするシール手段である。
この場合は、シール手段として、Ｏリングが使用されている。
【００１８】
１４は、シール手段１３のシール面圧を保持する加圧手段である。
この場合は、加圧手段として、コイルスプリングが使用されている。
１５は、電極板１２と加圧手段１４との間に設けられた絶縁ワッシャである。
１６は、電極部分を覆う電極キャップである。
【００１９】
以上の構成において、電極交換が必要になった場合には、加圧手段１４をゆるめて、電極板１２をずらし、開口口１１１に対向する一方の面の一部分がずれることにより電極交替出来る。
【００２０】
次に、加圧手段１４を作用させる。
以上により、電極１２が腐食，又は絶縁物が付着した場合に、電極板１２をずらすことにより、開口口１１１に対向する一方の面の一部分が新たな電極面になる。
【００２１】
この結果、
（１）電極板１２をずらすだけなので、電極交換が容易で、メンテナンス性が向上された電磁流量計が得られる。
【００２２】
（２）電極板１２をずらすだけなので、電極間距離が常に一定であり、スパン変化が生ずる恐れもなく、メンテナンス性が向上された電磁流量計が得られる。
【００２３】
（３）電極板１２をずらすだけなので、部品の紛失の恐れが無く、メンテナンス性が向上された電磁流量計が得られる。
【００２４】
（４）電極板１２の円形形状の中心を中心として回転することにより容易に電極がリフレシュ出来、円形形状の外縁に沿って、シール手段１３が容易に設けられ易いので、構造が簡潔になり、安価な電磁流量計が得られる。
【００２５】
（５）開口口１１１に対向交替する部分のみに導伝材よりなる電極本体１２２が設けられたので、必要部分にのみに電極が設けられ、安価な電磁流量計が得られる。
【００２６】
（６）シール手段１３として、Ｏリングが使用されたので、Ｏリングは市場性があり、安価に入手し易いので、安価な電磁流量計が得られる。
【００２７】
（７）加圧手段１４として、コイルスプリングが使用されたので、コイルスプリングは市場性があり、安価に入手し易いく、構成も簡潔に出来るので、安価な電磁流量計が得られる。
【００２８】
図３は、本発明の他の実施例の要部構成説明、図４は図３の要部平面図である。
本実施例において、２１は、測定管１に固定され、電極板１２の回転により、開口口１１１に対向する一方の面の一部分が交替するように、電極板１２を支持する回転軸である。
【００２９】
この場合は、電極板１２の一部が、電極キャップ１６よりはみ出すように構成されている。
【００３０】
この結果、
（１）回転軸２１が設けられたので、電極板１２を矢印Ａ方向に回し易く、メンテナンス性が向上された電磁流量計が得られる。
【００３１】
（２）電極板１２の一部が、電極キャップ１６よりはみ出すように構成すれば、電極キャップ１６を外す必要が無く、更に、メンテナンス性が向上された電磁流量計が得られる。
【００３２】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００３３】
【発明の効果】
以上説明したように、本発明の請求項１によれば、次のような効果がある。
（１）電極板をずらすだけなので、電極交換が容易で、メンテナンス性が向上された電磁流量計が得られる。
【００３４】
（２）電極板をずらすだけなので、電極間距離が常に一定であり、スパン変化が生ずる恐れもなく、メンテナンス性が向上された電磁流量計が得られる。
【００３５】
（３）電極板をずらすだけなので、部品の紛失の恐れが無く、メンテナンス性が向上された電磁流量計が得られる。
【００３６】
本発明の請求項２によれば、次のような効果がある。
電極板の円形形状の中心を中心として回転することにより容易に電極がリフレシュ出来、円形形状の外縁に沿って、シール手段が容易に設けられ易いので、構造が簡潔になり、安価な電磁流量計が得られる。
【００３７】
本発明の請求項３によれば、次のような効果がある。
回転軸が設けられたので、電極板を回し易く、メンテナンス性が向上された電磁流量計が得られる。
【００３８】
本発明の請求項４によれば、次のような効果がある。
開口口に対向交替する部分のみに導伝材よりなる電極本体が設けられたので、必要部分にのみに電極が設けられ、安価な電磁流量計が得られる。
【００３９】
本発明の請求項５によれば、次のような効果がある。
シール手段として、Ｏリングが使用されたので、Ｏリングは市場性があり、安価に入手し易いので、安価な電磁流量計が得られる。
【００４０】
本発明の請求項６によれば、次のような効果がある。
コイルスプリングが使用されたので、コイルスプリングは市場性があり、安価に入手し易いく、構成も簡潔に出来るので、安価な電磁流量計が得られる。
【００４１】
従って、本発明によれば、電極交換が容易で、スパン変化が生ずる恐れもなく、メンテナンス性が向上された電磁流量計を実現することが出来る。
【図面の簡単な説明】
【図１】本発明の一実施例の要部構成説明図である。
【図２】図１の要部詳細説明図である。
【図３】図１の底面図である。
【図４】本発明の他の実施例の要部構成説明図である。
【図５】図４の平面図である。
【図６】従来より一般に使用されている従来例の要部構成説明図である。
【符号の説明】
１　　　測定管
１１　　接液孔
１１１　開口口
１２　　電極板
１２１　電極板本体
１２２　電極本体
１３　　シール手段
１４　　加圧手段
１５　　絶縁ワッシャ
１６　　電極キャップ
２１　　回転軸
Ａ　　　矢印
ＦＬ　　測定流体
【図１】
2004003907.tif 000003
【図２】
2004003907.tif 000004
【図３】
2004003907.tif 000005
【図４】
2004003907.tif 000006
【図５】
2004003907.tif 000007
【図６】
2004003907.tif 000008